(57)【要約】  【課題】筐体内にテープを所定角度旋回させ得るスペースを有効に確保することにより筐体自体をコンパクトに構成し得る転写具を提供する。  【解決手段】転写具Ａは、転写ヘッド４を、巻回軸部２からテープｔが接合する巻回軸部接合線２ａがなす角度とは異なる角度をなしてテープｔが接し得る転写ヘッド接合線２ａを形成するように構成している。加えて、転写ヘッド接合線４ａがなす角度から巻回軸部接合線２ａがなす角度までの所定の角度でテープｔを案内し且つテープｔを屈曲させて支持する偏向支持部たる巻取側偏向支持部１１並びに巻出側偏向支持部１４を有する旋回補助機構１を具備していることを特徴とするものである。  【選択図】図３
2008080661.tif 000002
【特許請求の範囲】
【請求項１】
紙などの転写対象物に転写し得る転写物を表面側に設けた転写テープを構成し得るテープを巻回する巻回軸部と、
当該巻回軸部を収容且つ支持する筐体と、
前記筐体に取り付けられ前記巻回軸部からテープが接合する巻回軸部接合線がなす角度とは異なる角度をなして前記テープが接し得る転写ヘッド接合線を形成する転写ヘッドと、
前記転写ヘッド接合線がなす角度から前記巻回軸部接合線がなす角度までの所定角度で前記テープを案内し且つテープを屈曲させて支持する偏向支持部を有する旋回補助機構とを少なくとも具備していることを特徴とする転写具。
【請求項２】
前記転写ヘッドを、前記転写ヘッド接合線が前記巻回軸部接合線に対して略直角をなすように位置付けるとともに、
前記旋回補助機構を、前記転写ヘッド接合線から前記巻回軸部接合線まで前記テープを略直角に旋回させて案内し得るものとしている請求項１記載の転写具。
【請求項３】
前記偏向支持部を、前記テープを所定角度折り返して案内し得るテープを折り返し得る偏向軸を有するものとしている請求項１又は２記載の転写具。
【請求項４】
前記偏向支持部を、前記偏向軸で９０°以上折り返し得るものとしている請求項３記載の転写具。
【請求項５】
前記偏向軸を、前記巻回軸部の周縁に沿ってテープを屈曲させ得るものとしている請求項３記載の転写具。
【請求項６】
前記巻回軸部を前記転写ヘッドに支持されたテープを巻き取り得る巻取軸部とし、
前記旋回補助機構を前記転写ヘッドから前記巻取軸まで前記テープを案内し得るものとしている請求項１、２、３、４又は５記載の転写具。
【請求項７】
前記旋回補助機構を、前記テープの裏面側から支持するものとしている請求項６記載の転写具。
【請求項８】
前記巻回軸部を前記転写ヘッドへ前記テープを送り出し得る巻出軸部とし、前記旋回補助機構を前記巻出軸から前記転写ヘッドまで前記テープを案内し得るものとしている請求項１、２、３、４、５、６又は７記載の転写具。
【請求項９】
前記転写ヘッドを、前記巻回軸部において巻回した前記テープの幅方向中心によってなる仮想の平面よりも位相を異ならせた位置に位置付けている請求項１、２、３、４、５、６、７又は８記載の転写具。
【請求項１０】
前記旋回補助機構を、前記巻回軸部におけるテープの幅方向端部を超えた位置まで位相を異ならせて前記テープを案内するものとしている請求項９記載の転写具。
【請求項１１】
前記旋回補助機構を、前記巻回軸部と前記転写ヘッドとの間で前記テープの幅方向における一端側を案内する一端側案内寸法と他端側を案内する他端側案内寸法とが等しくなるように構成している請求項９又は１０記載の転写具。
【請求項１２】
前記転写テープを、前記テープの表面側に修正剤を設けた修正テープとしている請求項１、２、３、４、５、６、７、８、９、１０又は１１記載の転写具。
【発明の詳細な説明】
【技術分野】
【０００１】
本発明は、紙などの転写対象物に転写物を好適に転写し得る転写具に関するものである。
【背景技術】
【０００２】
従来、例えば粘着剤や修正剤などの転写物を付着させた転写テープを巻回した状態で筐体内に内蔵し、転写ヘッドの位置で転写物を露出させ、その露出した部分を紙などの転写対象物に接した状態で、転写ヘッドを移動させることによって、転写物を好適に転写対象物へと転写し得る転写具が多数開発されている。
【０００３】
とくに転写物として修正剤を用いたものにおいて、巻回した状態から筐体内でテープを所定角度旋回させた状態として転写ヘッドに支持させている転写具が多く提案されている（例えば、特許文献１参照）。このようなものは、転写テープを旋回させる角度を略９０°に設定したものが多く、一般に横引き式と称されている。なお、テープを筐体内で旋回させずに転写ヘッドに支持させる転写具を縦引き式と称されており、これらは上述の横引き式とは区別されている。そしてこのような、いわゆる横引き式の転写具は、転写テープを直線状に伸ばした状態で旋回させるだけのスペースを筐体内に確保したものとなっている。
【特許文献１】特開２００１−２７０２９２号公報
【発明の開示】
【発明が解決しようとする課題】
【０００４】
しかしながらこのような横引き式の転写具は、テープを無理なく旋回させるに足る寸法を有する空間を筐体内に設ける為に、筐体がいきおい大型化してしまったり、テープを旋回させるための寸法を確保するために部分的に突出させた形状となったりするなど、転写具全体をコンパクトに構成することが困難な構成とされているのが現状である。
【０００５】
本発明は、このような不具合に着目したものであり、筐体内にテープを所定角度旋回させ得るスペースを有効に確保することにより筐体自体をコンパクトに構成し得る転写具を提供する。
【課題を解決するための手段】
【０００６】
本発明は、このような目的を達成するために、次のような手段を講じたものである。すなわち、本発明に係る転写具は、紙などの転写対象物に転写し得る転写物を表面側に設けた転写テープを構成し得るテープを巻回する巻回軸部と、当該巻回軸部を収容且つ支持する筐体と、前記筐体に取り付けられ前記巻回軸部からテープが接合する巻回軸部接合線がなす角度とは異なる角度をなして前記テープが接し得る転写ヘッド接合線を形成する転写ヘッドと、前記転写ヘッド接合線がなす角度から前記巻回軸部接合線がなす角度までの所定角度で前記テープを案内し且つテープを屈曲させて支持する偏向支持部を有する旋回補助機構とを少なくとも具備していることを特徴とする。
【０００７】
このようなものであれば、限られた筐体内の空間において途中屈曲させながらテープを長い距離で所要の角度旋回させ得る構成とすることができる。斯かる構成により、直線部分において所定角度テープを旋回させている従来の転写具と比べて筐体内の空間を有効に利用することができる。そうすることにより、よりコンパクトな筐体を有する転写具を構成することが可能である。
【０００８】
ここで本発明においてテープを旋回させる角度を限定するものではなく、筐体内で所要の角度テープを旋回させ得る転写具や、例えばヘッドが筐体に固定されているのみならず、筐体に対して旋回又は移動し得る構成を有する転写具に有効に適用することができる。
【０００９】
特に、斯かる構成の転写具の具体的な構成として、転写ヘッドを、転写ヘッド接合線が巻回軸部接合線に対して略直角をなすように位置付けるとともに、旋回補助機構を、転写ヘッド接合線から前記巻回軸部接合線まで前記テープを略直角に旋回させて案内し得るテープを直角に旋回させることによって、好適な横引き式の転写具を構成しているものを挙げることができる。
【００１０】
テープを所望の方向・位置へ好適に案内するためには、偏向支持部を、テープを所定角度折り返して案内し得る偏向軸を有するものとすることが望ましい。ここで偏向軸は１本に限られず、複数の偏向軸を設けたものとしても良い。
【００１１】
筐体内の空間を有効に利用しながらテープを案内し得る構成として、偏向支持部を、偏向軸で９０°以上に折り返す構成や、テープを巻回軸部の周縁に沿って案内する構成を挙げることができる。
【００１２】
そして巻回軸部を転写ヘッドに支持されたテープを巻き取り得る巻取軸部とした場合には、旋回補助機構は転写ヘッドから巻取軸までテープを案内し得るものとすることによって、転写物を転写した後のテープを好適に巻取り得るものとなる。加えて、テープを巻取軸部に巻き取る際、転写ヘッドにおいて偶発的に転写され得なかった転写物が、誤って旋回補助機構に付着してしまうという不具合を有効に解消するためには、旋回補助機構は、テープの裏面側から支持するものとすればよい。
【００１３】
そして巻回軸部を転写ヘッドへテープを送り出し得る巻出軸部とした場合には、旋回補助機構を巻出軸から転写ヘッドまで好適にテープを送り出し得るものとすることが挙げられる。
【００１４】
特に、筐体の厚み方向における転写ヘッドの位置を適宜設定することによって、転写具を構成する厚み寸法を有効に削減し得る構成とするためには、転写ヘッドを、前記巻回軸部において巻回した前記テープの幅方向中心によってなる仮想の平面よりも位相を異ならせた位置に位置付けることが望ましい。
【００１５】
そして、より好適な位置に転写ヘッドを位置付けるためには、旋回補助機構を、巻回軸部におけるテープの幅方向端部を超えた位置まで位相を異ならせてテープを案内することが好ましい。
【００１６】
特に、偏向支持部によってテープを案内する際、テープを弛ませることを有効に回避し得る構成として、巻回軸部から転写ヘッドまでテープの幅方向における一端側を案内する一端側案内寸法と他端側を案内する他端側案内寸法とが等しくなるように旋回補助機構を構成することが望ましい。
【００１７】
そして、上述のような構造は、転写テープとして、テープの表面側に修正剤を設けた修正テープとすることが好ましい。
【発明の効果】
【００１８】
本発明によれば、転写ヘッドから巻回軸部までテープを旋回させる際に、その旋回途中の所定角度でテープを案内し且つテープを屈曲させて支持する偏向支持部を設けることによって、限られた筐体内の空間において途中屈曲させながらテープを長い距離で所要の角度旋回させ得るものとすることができる。そうすることにより、直線部分において所定角度テープを旋回させている従来の転写具と比べて筐体内の空間を有効に利用することができる。そして斯かる構成を採用することにより、よりコンパクトな筐体を有する転写具を構成することが可能である。
【発明を実施するための最良の形態】
【００１９】
以下、本発明の一実施の形態について図面を参照して説明する。
【００２０】
本実施形態に係る転写具Ａを図１及び図２に示す。この転写具Ａは、例えば紙などの転写対象物Ｐへ、テープｔの表面側に修正剤ｓを転写する、転写テープである修正テープＴを筐体３内に保持しているものである。
【００２１】
またこの転写具Ａは図２に示すように、筐体３の厚み方向に対して修正剤ｓが平行に引き出される、いわゆる横引き式のものとなっている。そして、転写具Ａは図１、図２及び図３に示すように、筐体３と、筐体３に取り付けた転写ヘッド４と、筐体３に収容されている巻回軸部２とを主に有しているものである。
【００２２】
ここで、本実施形態に係る転写具Ａは、転写ヘッド４を、巻回軸部２からテープｔが接合する巻回軸部接合線２ａがなす角度とは異なる角度をなしてテープｔが接し得る転写ヘッド接合線２ａを形成するように構成している。加えて、転写ヘッド接合線４ａがなす角度から巻回軸部接合線２ａがなす角度までの所定の角度でテープｔを案内し且つテープｔを屈曲させて支持する偏向支持部たる巻取側偏向支持部１１並びに巻出側偏向支持部１４を有する旋回補助機構１を具備していることを特徴とするものである。
【００２３】
そして斯かる構成を利用して、転写ヘッド接合線４ａを巻回軸部接合線２ａに対して略直角をなすように位置付けるとともに、この旋回補助機構１を、転写ヘッド接合線４ａから巻回軸部接合線２ａまで略直角にテープｔを旋回させて案内させることによって、上述の通り所謂横引き式の転写具Ａを好適に構成しているものである。
【００２４】
以下、転写具Ａにおける各構成要素について詳述する。
【００２５】
筐体３は、半割構造をなす支持筐体３１と、カバー筐体３２とを有し、これら支持筐体３１とカバー筐体３２との間に転写ヘッド４を挟み込む構成としている。そして支持筐体３１側において巻回軸部２を支持するとともに、図示しないが後述する巻出側偏向軸１５を形成している。なおカバー筐体３２においては、後述する巻取側偏向軸１２を形成している。
【００２６】
巻回軸部２は、巻取軸部２１と、巻出軸部２４と、これら巻取軸部２１の回転と巻出軸部２４の回転とを連動させるためのベルト２７とを有しているものである。巻取軸部２１は、支持筐体３１に回転可能に支持された巻取コア２３と、巻取コア２３に取り付け且つベルト２７を掛け回した巻取プーリ２２とを有している。ここで、本実施形態では、これら巻取コア２３、巻取プーリ２２とともに回転する巻回した状態にあるテープｔをも含んで、軸芯周りに回転する部分全体を巻取軸部２１と称している。巻出軸部２４は、支持筐体３１に支持された巻出コア２６と、巻出コア２６に取り付けられ且つベルト２７を掛け回した巻出プーリ２５とを主に有している。ここで上述の巻取軸部２１と同じく、本実施形態ではこれら巻出コア２６及び巻出プーリ２５とともに回転する修正テープＴをも含んで、軸芯周りに回転する部分全体を巻出軸部２４と称している。そしてベルト２７は、具体的には巻出プーリ２５及び巻取プーリ２２に架け渡すことによって、巻出軸部２４の回転と、巻取軸部２１の回転とを連動させているものである。
【００２７】
転写ヘッド４は、図３、図４及び図５に示すように、転写テープｔを転写対象物Ｐに接触させ得る先端の転写位置４１、巻取軸部２１側においてテープｔを支持する巻取側支持位置４２、及び巻出軸部２４側で修正テープＴを支持する巻出側支持位置４３に少なくともテープｔに接している。そして本実施形態では、図４に示すように、この転写位置４１が、巻回軸部２におけるテープｔの幅方向中心によって形成される仮想の平面Ｘから図示の上面視において、位相を異ならせて構成しているものである。これらの位置においてテープｔに接する線は、それぞれ同じ方向をなす転写ヘッド接合線４ａとして表わされる。本実施形態に係る転写具Ａは、上述の通り所謂横引き式の転写具Ａとなっているため、この転写ヘッド接合線４ａは、図２、図３及び図６に示すように、巻回軸部２からテープｔが接合する巻回軸部接合線２ａに対して略直角をなしものとなっている。
【００２８】
そして、本実施形態に係る転写具Ａは、以下に詳述するように、転写ヘッド４から巻回軸部２へテープｔ或いは修正テープＴを案内する旋回補助機構１を具備しているものである。この旋回補助機構１は、図３、図４、図５及び図６に示すように、転写ヘッド接合線４ａから巻回軸部接合線２ａまでテープｔを略直角に旋回させて案内し得るものとしている巻取側偏向支持部１１と、巻出側偏向支持部１４とを有している。
【００２９】
巻出側偏向支持部１４は、図３に示すように、巻出軸部２４から転写ヘッド４の巻出側支持位置４３まで位相を異ならせてテープｔを案内し得るものである。具体的には、巻出側偏向軸１５によって主に構成されており、当該巻出側偏向軸１５上に形成された巻出側偏向支持面１６において裏面側から修正テープＴを支持している。そして、巻出側偏向支持部１４によって、巻出軸部２４の周縁に沿ってテープｔを案内したものとなっている。
【００３０】
ここで、この巻出側偏向支持部１４は、位相を異ならせてテープｔを案内するのみならず、図３に示すように、転写ヘッド接合線４ａから巻回軸部接合線２ａまでの間の所定の角度αをなしてテープｔを案内し得る、本発明に係る偏向支持部として機能しているものであり、円筒状に構成した巻出側偏向軸１５が伸びる方向を示す伸長線１５ａが、巻回軸部接合線２ａに対してαの角度を成すように構成している。本発明に係る偏向支持部の作用については後に詳述する。
【００３１】
巻取側偏向支持部１１は、転写ヘッド４から巻取軸部２１までテープｔを案内し得るものである。具体的には、巻回軸部２の軸方向から図５、図６にθで示す偏向した角度でテープｔを裏面側から折返し支持し得る巻取側偏向支持面１３を有するものとしている。具体的には巻取側偏向支持部１１は、巻取側偏向支持面１３を有する、１本の軸である巻取側偏向軸１２によって構成されている。なお、巻取側偏向支持部１１は、１本の巻取側偏向軸１２によって構成される態様に限られず、複数の軸によって構成する態様や、軸の形状をとらずに巻取側偏向支持面１３を形成し得るリブ等によっても構成することができる。また巻取側偏向支持部１１は、具体的には巻取側偏向軸１２で所定の角度、本実施形態では９０°以上の角度で折り返して巻取軸部２１へ案内するものとしている。また、図５に示すように、巻回軸部２におけるテープｔの幅方向端部を示す線Ｙを超えた位置に位置付けた転写ヘッド４の巻取側支持部の位置まで位相を異ならせてテープｔを案内するものとしている。
【００３２】
ここで、この巻取側偏向支持部１１は、図６に示すように、位相を異ならせてテープｔを案内するのみならず、転写ヘッド接合線４ａから巻回軸部接合線２ａまでの間の所定の角度θだけ偏向させてテープｔを案内し得る、本発明に係る偏向支持部として機能しているものであり、巻取側偏向支持面１３の端部伸びる方向を示す伸長線１３ａ（図７）が、巻回軸部接合線２ａに対してθの角度を成すように構成しているものである。本発明に係る偏向支持部の作用については後に詳述する。
【００３３】
そして本実施形態では、旋回補助機構１を、巻回軸部２から転写ヘッド４までテープｔの幅方向における一端側を案内する一端側案内寸法ａ＋ｂと他端側を案内する他端側案内寸法ａ’＋ｂ’とが等しくなるように構成している。以下に、斯かる構成を、特に巻取側偏向支持部１１の構成を同図に示して説明する。図６に示すように、巻取側偏向支持面１３が面する角度は、巻回軸部接合線２ａから所定の角度θだけ偏向させている。具体的には、この巻取側偏向軸１２がなす角度θは、転写ヘッド接合線４ａが延びる方向に対しても巻回軸部接合線２ａが延びる方向に対しても傾斜させて、言い換えれば斜め方向に傾斜させて設けたものとしている。また同図において、一端側ヘッド案内寸法ａは、転写ヘッド４の巻取側支持位置４２から巻取軸偏向支持面１３の端部までテープｔの一端側を案内する寸法である。一端側巻取案内寸法ｂは、上記巻取軸偏向支持面１３の端部から巻取軸部２１における巻回軸部接合線２ａまでテープｔの一端側を案内する寸法である。そして一端側ヘッド案内寸法ａと一端側巻取案内寸法ｂとの和を、一端側案内寸法ａ＋ｂとしている。一方、他端側ヘッド案内寸法ａ’は、転写ヘッド４の巻取側支持位置４２から巻取軸偏向支持面１３の端部までテープｔの他端側を案内する寸法である。他端側巻取案内寸法ｂ’は、上記巻取軸偏向支持面１３の端部から巻取軸部２１における巻回軸部接合線２ａまでテープｔの他端側を案内する寸法である。そして他端側ヘッド案内寸法ａ’と一端側巻取案内寸法ｂ’との和を、他端側案内寸法ａ’＋ｂ’としている。そして本実施形態では、これら一端側案内寸法ａ＋ｂと、他端側案内寸法ａ’＋ｂ’とが等しくなるように角度θを設定している。斯かる構成により、転写ヘッド４の巻取側支持位置４２から位相を異ならせて巻き取る際にテープｔの一端側或いは他端側だけが弛む状態となって巻取軸部２１に巻き取られてしまうという不具合を有効に防止し得るものとなっている。
【００３４】
ここで上述したように、本実施形態に係る旋回補助機構１における偏向支持部、すなわち巻出側偏向支持部１１及び巻取側偏向支持部１４は、転写ヘッド４の、巻取側支持位置４２及び巻出側支持位置４３において巻回軸部接合線２ａがなす角度から略直角をなす角度で転写ヘッド接合線４ａを形成し、転写ヘッド接合線４ａがなす角度から巻回軸部接合線２ａがなす角度までの所定の角度θ及びαをなしてテープｔ或いは転写テープＴを案内し且つそれらを屈曲させて支持しているものである。以下、巻取側偏向支持部１１及び巻出側偏向支持部１４における斯かる構成ついて図３、図６に加え、図７及び図８に示した模式的な図を用いて説明する。
【００３５】
巻取側偏向支持部１１は、図６及び図７に示すように、巻取側偏向支持面１３の方向を示す伸長線１３ａが、巻回軸部接合線２ａに対して転写ヘッド接合線４ａまでの鋭角である角度θをなしてテープｔを支持するように配している。一方、図３及び図６に示すように、９０°以上の角度をなしてテープｔを屈曲させている。そのため、筐体３内において巻取軸部２１と巻出軸部２４との間に形成されている空間においてテープｔを十分な長さ寸法をもって略直角に旋回させ得るものとしている。加えて、巻取軸部２１と巻出軸部２４との間に形成されている空間を有効に利用しながらテープｔを旋回させ得るものとしている。
【００３６】
巻出側偏向支持部１４は、図３及び図８に示すように、巻出側偏向軸１５の伸長線１５ａが、巻回軸部接合線２ａに対して転写ヘッド接合線４ａまでの鋭角である角度αをなして転写テープＴを支持するように配している。一方、図３に示すように、筐体３内において巻出軸部１４の周縁に沿って転写テープＴを案内している。そのため、筐体３内における巻回軸部２と筐体３との間に形成される空間を有効に利用しながら転写テープＴを略直角に旋回させ得るものとなっている。
【００３７】
以上のような構成とすることにより、本実施形態に係る転写具Ａは、斯かる構成である旋回補助機構１を具備しているので、筐体３内の限られた空間を、途中屈曲させながらテープｔ或いは転写テープＴを、直線だけの距離よりも長い距離で所要の角度すなわち略直角に旋回させ得る構成とすることができる。斯かる構成とすることにより、直線部分において所定角度テープｔを旋回させている従来の転写具Ａと比べて筐体３内の空間を有効に利用することができる。そうすることにより、本実施形態に係る転写具Ａは所謂横引き式のものとしながら、従来にないまでに、筐体３をコンパクトに構成することを実現している。
【００３８】
ここで本実施形態はテープｔを旋回させる角度を限定するものではないが、この旋回補助機構１によりテープｔ及び転写テープＴを略直角に旋回させて案内することによって、好適な横引き式の転写具Ａを構成し得たものとなっている。
【００３９】
そして、テープｔを所望の方向・位置へ好適に案内するために、本実施携帯では、偏向支持部たる巻取側偏向支持部１１及び巻出側偏向支持部１４をテープｔ或いは転写テープＴを所定角度折り返して案内し得る巻取側偏向軸１２及び巻出側偏向軸１５を設けた構成としている。
【００４０】
また本実施形態では、巻取側偏向軸１２で９０°以上に折り返す構成や、テープｔを巻出軸部２４の周縁に沿って案内する巻出側偏向軸１５の構成を採用することにより、筐体３内の空間を有効に利用しながらテープｔを案内し得る構成として、筐体３自体のコンパクト化に供するものとなっている。ここで、例えば巻回軸部２がベルト２７を用いずに巻取軸部２１側及び巻出軸部２４側にギアを設け噛合わせて連動させる構成を採用すれば、巻取軸部２１は図示の構成とは逆方向に回転することとなるが、斯かる構成に対しても、巻取側偏向軸１２においてテープｔを折り返す角度を適宜設定することによって、同様の作用効果を奏するものとなっている。
【００４１】
そして巻回軸部２を転写ヘッド４に支持されたテープｔを巻き取り得る巻取軸部２１とした場合には、旋回補助機構１は転写ヘッド４から巻取軸までテープｔを案内し得るものとすることによって、転写物を転写した後のテープｔを好適に巻取り得るものとなる。また巻出軸部２４においても、巻出側偏向支持部１４の構成によって、巻出軸から転写ヘッド４まで好適にテープｔを送り出し得るものとなっている。
【００４２】
加えて、巻取側偏向支持面１３においても、テープｔの裏面側から支持する構成としているので、転写ヘッド４において転写対象物Ｐに偶発的に転写されずに巻取軸部２１へテープｔとともに案内されてしまう修正剤ｓが、誤って巻取側偏向支持面１３に付着してしまうという不具合を有効に解消している。
【００４３】
また一方、本実施形態に係る転写具Ａは、転写ヘッド４を巻回軸部２において巻回したテープｔの幅方向中心によってなる仮想の平面Ｘよりも位相を変位させた位置に位置付けているので、転写ヘッド４を厚み方向において所望の位置、すなわち本実施形態では筐体３の厚みの範囲にはみ出さないように転写ヘッド４を配し得るものとなっており、結果として転写具Ａを構成する厚み寸法を有効に削減させた、コンパクトな転写具Ａを構成し得ている。加えて、当該構成により、テープｔの一端側或いは他端側が弛むことを有効に回避することができるのみならず、巻回軸部２と転写ヘッド４との距離を小さく構成することができる。結果として、筐体３自体のサイズのコンパクト化に寄与し得たものとなっている。そして斯かる位置に転写ヘッド４を位置付けるために、図５に示すように、巻回軸部２におけるテープｔの幅方向端部を示す線Ｙを超えた位置まで位相を異ならせてテープｔを案内したものとしている。また、転写ヘッド４の位置に応じてテープｔを好適に案内するために、巻回軸部２の軸方向から偏向した角度でテープｔを折返し支持し得る巻取側偏向支持面１３並びに巻出側偏向支持面１６を有する巻取側偏向支持部１１及び巻出側偏向支持部１４を設けている。具体的には、テープｔを所定角度折り返して案内し得る巻取側偏向軸１２並びに巻出側偏向軸１５を設けることによって、本実施形態では巻取側偏向支持部１１及び巻出側偏向支持部１４を好適に構成している。
【００４４】
ここで通常、巻回軸部２の軸芯方向に平行する方向にのみ折り返す軸を採用している場合では、転写ヘッド４の巻取側支持位置４２から位相を異ならせて巻き取る際に、テープｔの一端側或いは他端側だけが弛む状態となって巻取軸部２１に巻き取られてしまうという不具合が生じるものとなってしまう。ここで本実施形態では、図６に巻取側偏向支持部１１を示す通り、巻取側偏向支持部１１を、偏向支持部一端側案内寸法ａ＋ｂと他端側案内寸法ａ’＋ｂ’とが等しくなるように旋回補助機構１を構成しているので、斯かる不具合を有効に防止し得るものとなっている。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態では旋回補助機構としてそれぞれ単独の偏向軸を採用した構成としたが、上記実施形態は偏向軸の数を限定するものではなく、また軸形状のモノ以外にも、突起やリブ形状のものを採用して旋回補助機構を構成することも可能である。又例えば、上記実施形態では筐体が巻回軸部等を直接保持する構成としたが、転写ヘッドや巻回軸部を別体のカートリッジに保持させた上で当該カートリッジを筐体が保持することにより巻回軸部並びに転写ヘッドを間接的に保持する構成、すなわち詰め替え式の構成を採用したものとしてもよい。
【００４７】
その他、各部の具体的構成についても上記実施形態に限られるものではなく、本発明の趣旨を逸脱しない範囲で種々変形が可能である。
【図面の簡単な説明】
【００４８】
【図１】本発明の一実施形態に係る外観図。
【図２】同上。
【図３】同実施形態に係る構成説明図。
【図４】同実施形態に係る模式的な説明図。
【図５】同構成説明図。
【図６】同作用説明図。
【図７】同実施形態に係る模式的な説明図。
【図８】同上。
【符号の説明】
【００４９】
１…旋回補助機構
１１…偏向支持部（巻取側偏向支持部１１）
１２…偏向軸（巻取側偏向軸１２）
１３…偏向支持面（巻取側偏向支持面）
１４…偏向支持部巻出側偏向支持部１４）
１５…偏向軸（巻出側偏向軸１５）
１６…偏向支持面（巻出側偏向支持面１６）
２…巻回軸部
２ａ…巻回軸部接合線
２１…巻取軸部
２４…巻出軸部
３…筐体
４…転写ヘッド
４ａ…転写ヘッド接合線
Ａ…転写具
ａ＋ｂ…一端側案内寸法
ａ’＋ｂ’…他端側案内寸法
ｓ…転写物、修正剤（修正剤）
ｔ…テープ
Ｔ…転写テープ、修正テープ（修正テープ）
Ｐ…転写対象物
Ｘ…仮想の平面
【図１】
2008080661.tif 000003
【図２】
2008080661.tif 000004
【図３】
2008080661.tif 000005
【図４】
2008080661.tif 000006
【図５】
2008080661.tif 000007
【図６】
2008080661.tif 000008
【図７】
2008080661.tif 000009
【図８】
2008080661.tif 000010